(57)【要約】      （修正有）【課題】収容効率を高く維持しつつ、光コネクタの回線を容易に判別でき、しかも光ファイバーの損傷を確実に防止することが可能な光配線盤を提供する。【解決手段】光コネクタ６を上下方向に移動可能に支持するとともに開口部の直下に光コネクタ６を収容する収容スペースを有する光コネクタ収容部７と、光コネクタ収容部７に収容された光コネクタ６を覆うことが可能な開閉蓋９と、開閉蓋９の表面および裏面に設けられる回線表示札と、を備え、光コネクタ６は、開閉蓋９の開動作に連動してコネクタ収容部７の開口部から上方に突出し、開閉蓋９の閉動作に連動してコネクタ収容部７の収容スペースに収容される。【選択図】図１
2014186120.tif 000002
【特許請求の範囲】
【請求項１】
光ファイバー同士を接続するための光コネクタを複数並列に配置した光配線盤であって、
前記光ファイバーを収容するトレーに固定されるとともに、前記光コネクタを上下方向に移動可能に支持し、上方に開口する開口部の直下に前記光コネクタを収容する収容スペースを有する光コネクタ収容部と、
前記光コネクタ収容部の前記開口部側に移動可能に設けられ、前記光コネクタ収容部に収容された前記光コネクタを覆うことが可能な開閉蓋と、
前記開閉蓋の表面および裏面に設けられ、前記光ファイバーの回線名を表示する回線表示札と、
を備え、
前記光コネクタは、前記開閉蓋の開動作に連動して前記コネクタ収容部の前記開口部から上方に突出するとともに、前記開閉蓋の閉動作に連動して前記コネクタ収容部の前記収容スペースに収容されることを特徴とする光配線盤。
【請求項２】
前記光コネクタは弾性体によって上方に付勢されており、前記開閉蓋はロック手段によって前記光コネクタ収容部に固定されており、前記ロック手段のロック解除による前記開閉蓋の開動作時に前記光コネクタが前記弾性体の付勢力によって前記開口部から上方に突出することを特徴とする請求項１に記載の光配線盤。
【請求項３】
前記ロック手段は、前記コネクタ収容部の開口部側に設けられた受金具に吸着可能な永久磁石から構成されていること特徴とする請求項１または２に記載の光配線盤。
【発明の詳細な説明】
【技術分野】
【０００１】
この発明は、光ファイバー同士を接続するための光コネクタが複数配置された光配線盤に関し、とくに光コネクタに対する光ファイバーの接続等の作業時におけるヒューマンエラーを防止することが可能な光配線盤に関する。
【背景技術】
【０００２】
光ファイバー同士を接続するための光コネクタを収容する光配線盤においては、収容効率を高める観点から、複数の光コネクタが複数並列に密集した状態で配置されている。そのため、各光コネクタの相互間の間隔が非常に狭く、光コネクタに対する光ファイバーの開放・接続作業が難しくなり、隣接する光コネクタの誤断や光ファイバーの損傷についての配慮が必要となる。
【０００３】
従来から光コネクタに対する光ファイバーの開放・接続作業を容易にするための技術が各種提案されている（例えば、特許文献１〜３参照。）。特許文献１の光配線盤は、光コネクタなどをトレーに整理してコンパクトに収納し、接続切替え作業などの能率を向上させるようにしている。特許文献２の光配線盤は、光ファイバー収容部を移動させることにより、作業スペースを確保するようにしている。特許文献３の光配線盤では、光コネクタをレール上で横方向に移動させ、他の光コネクタと作業空間（距離）を確保するようにしている。
【先行技術文献】
【特許文献】
【０００４】
【特許文献１】特開平８−２４８２３５号公報
【特許文献２】特開平１１−１３３２４４号公報
【特許文献３】特開２００１−２３５６３２号公報
【発明の概要】
【発明が解決しようとする課題】
【０００５】
しかし、上述の特許文献１〜３に関する光配線盤は、光コネクタに回線名の表示機能がなく、作業対象となる回線と運用中の回線との区別が難しく、回線の確認に時間を多くの時間を要するという問題がある。
【０００６】
特許文献２の光配線盤については、光ファイバー収容部が稼動するものの、収容される各光コネクタは固定されているため、収容効率をある程度犠牲にしなければ隣接する光コネクタとの離隔が確保できない。また、特許文献３の光配線盤も有効な作業空間を確保するためには横方向のみでなく、光コネクタの上下に配置される光ファイバー受台相互間の離隔確保も必要であり、やはり収容効率向上には限界がある。
【０００７】
そこで本発明は、収容効率を高く維持しつつ、光コネクタの回線を容易に判別でき、しかも光ファイバーの損傷を確実に防止することが可能な光配線盤を提供することを目的とする。
【課題を解決するための手段】
【０００８】
上記目的を達成するために請求項１に記載の発明は、光ファイバー同士を接続するための光コネクタを複数並列に配置した光配線盤であって、前記光ファイバーを収容するトレーに固定されるとともに、前記光コネクタを上下方向に移動可能に支持し、上方に開口する開口部の直下に前記光コネクタを収容する収容スペースを有する光コネクタ収容部と、前記光コネクタ収容部の前記開口部側に移動可能に設けられ、前記光コネクタ収容部に収容された前記光コネクタを覆うことが可能な開閉蓋と、前記開閉蓋の表面および裏面に設けられ、前記光ファイバーの回線名を表示する回線表示札と、を備え、前記光コネクタは、前記開閉蓋の開動作に連動して前記コネクタ収容部の前記開口部から上方に突出するとともに、前記開閉蓋の閉動作に連動して前記コネクタ収容部の前記収容スペースに収容されることを特徴とする光配線盤である。
【０００９】
この発明によれば、光コネクタ収容部の開口部を覆う開閉蓋に設けられた回線表示札に基づき、開閉蓋を閉じた状態と開いた状態のいずれにおいても、光コネクタの回線の判別可能となる。また、対象となる光コネクタに関する作業時には、開閉蓋の開動作に伴って対象となる光コネクタのみが上方に突出し、光コネクタの周囲に作業を阻害する障害物がなくなるので、光コネクタに対する作業スペースが確保される。
【００１０】
請求項２に記載の発明は、請求項１に記載の光配線盤において、前記光コネクタは弾性体によって上方に付勢されており、前記開閉蓋はロック手段によって前記光コネクタ収容部に固定されており、前記ロック手段のロック解除による前記開閉蓋の開動作時に前記光コネクタが前記弾性体の付勢力によって前記開口部から上方に突出することを特徴としている。
【００１１】
請求項３に記載の発明は、請求項１または２に記載の光配線盤において、前記ロック手段は、前記コネクタ収容部の開口部側に設けられた受金具に吸着可能な永久磁石から構成されていること特徴としている。
【発明の効果】
【００１２】
請求項１に記載の発明によれば、開閉蓋の表面および裏面に光ファイバーの回線名を表示する回線表示札が設けられるので、光コネクタの回線名を容易に判別することができ、作業時間を短縮することができる。また、光コネクタは、開閉蓋の開動作に連動してコネクタ収容部の開口部から上方に突出するので、対象となる光コネクタに対する作業スペースを確保することができる。したがって、対象となる光コネクタに対する光ファイバーの接続または開放の操作を安全かつ確実に行うことができ、光ファイバーの接続等の作業時におけるヒューマンエラーを防止することができる。
【００１３】
また、請求項１に記載の発明では、従来技術のように、作業スペースを確保するために多数の光コネクタを移動させる必要がないので、収容効率を高く維持しつつ、光ファイバーの損傷を防止することができる。さらに、光コネクタを収容する光コネクタ収容部の開口部に開閉蓋を設けるようにしているので、対象となる光コネクタの作業時には、他の運用中の光コネクタは開閉蓋によって覆われることになり、他の運用中の光コネクタに対して誤断などの悪影響を与えることがなくなる。
【００１４】
請求項２に記載の発明によれば、ロック手段のロック解除による開閉蓋の開動作時に光コネクタが弾性体の付勢力によって開口部から上方に突出するようにしているので、自動的に光コネクタを上昇させることができ、対象とする光コネクタに対する作業が容易となる。
【００１５】
請求項３に記載の発明によれば、ロック手段はコネクタ収容部の開口部側に設けられた受金具に吸着可能な永久磁石から構成されているので、ロック手段の構成を簡素化することができるとともに、開閉蓋の開閉操作が容易となる。
【図面の簡単な説明】
【００１６】
【図１】本発明の実施の形態に係わる光配線盤の平面図であって、図１（ａ）はすべてのコネクタ収容部の開閉蓋を閉じた状態を示す平面図であり、図（ｂ）は特定のコネクタ収容部の開閉蓋を開いた状態を示す平面図である。
【図２】図１の光配線盤におけるコネクタ収容部の開口部を開いた状態を示す拡大平面図である。
【図３】図２のコネクタ収容部の開口部を開閉蓋で閉じた状態を示す拡大正面図である。
【図４】図２のコネクタ収容部の開口部を開閉蓋で閉じた状態を示す拡大断面図である。
【図５】図２のコネクタ収容部の開口部を開閉蓋で閉じた状態を示す拡大側面図である。
【図６】図２コネクタ収容部の開口部を開いた状態を示す拡大側面図である。
【図７】図２のコネクタ収容部に形成された光コネクタ保持部の拡大正面図である。
【図８】図２のコネクタ収容部に収容されている光コネクタから光ファイバーを取外した状態を示す平面図である。
【図９】図１の光配線盤の正面図である。
【発明を実施するための形態】
【００１７】
つぎに、この発明の実施の形態について、図面を用いて詳しく説明する。
【００１８】
図１ないし図９は、本発明の実施の形態を示しており、とくに通信分野における光伝送路に設けられる光配線盤１に適用した場合を示している。図９は、光配線盤１の一例を示しており、光配線盤１はフレーム２に対して出し入れ可能な複数のトレー３を有している。図１は、フレーム２から矢印Ｆ１方向に引き出されたトレー３を示している。トレー３内には、光ファイバー４と光ファイバー５同士を接続するための複数の光コネクタ６が設けられている。各光コネクタ６は、複数並列に配置された状態でトレー３内に収納されている。図２に示すように、光コネクタ６の一方の接続部６２には、光ファイバー４の接続端子４ａが接続可能となっている。光コネクタ６の他方の接続部６３には、光ファイバー５の接続端子５ａが接続可能となっている。
【００１９】
トレー３の上面には、光コネクタ６と同数の光コネクタ収容部７が固定されている。光コネクタ収容部７は、第１の収容壁７１と、第２の収容壁７２と、昇降板７３を有している。第１の収容壁７１と第２の収容壁７２は、例えば樹脂部材からなり、長方形をした平板から構成されている。第１の収容壁７１と第２の収容壁７２は、光コネクタ６の配列方向に所定の距離をもって対向して配置されている。第１の収容壁７１および第２の収容壁７２の下端は、トレー３の上面に固定されている。昇降板７３は、例えば樹脂部材からなり、長方形をした平板から構成されている。昇降板７３は、第１の収容壁７１の内側面と第２の収容壁７２の内側面との間に設けられており、第１の収容壁７１と第２の収容壁７２に対して昇降可能となっている。
【００２０】
図４に示すように、昇降板７３の上面には、光コネクタ６が取付けられている。光コネクタ６は、昇降板７３の昇降に伴って上下方向に移動可能となっている。第１の収容壁７１には、光コネクタ６の中央部６１の一側を移動可能に保持する第１の光コネクタ保持部７１ｃが形成されている。第１の光コネクタ保持部７１ｃは、第１の収容壁７１の一部を凹状に切除した形状に形成されている。光コネクタ６の中央部６１の一側は、上下方向に移動可能に第１の光コネクタ保持部７１ｃに嵌め込まれている。第２の収容壁７２には、光コネクタ６の中央部６１の他側を移動可能に保持する第２の光コネクタ保持部７２ｃが形成されている。第２の光コネクタ保持部７２ｃは、図７に示すように、第２の収容壁７２の一部を凹状に切除した形状に形成されている。光コネクタ６の中央部６１の他側は、上下方向に移動可能に第２の光コネクタ保持部７２ｃに嵌め込まれている。
【００２１】
昇降板７３の下面とトレー３の上面との間には、弾性体としての二つの圧縮コイルスプリング１１が設けられている。各圧縮コイルスプリング１１は、昇降板７３を介して光コネクタ６を上方に付勢する機能を有している。光コネクタ収容部７は、開口部Ｋの直下に光コネクタ６を収容する収容スペースＳを有している。すなわち、光コネクタ６は、光コネクタ収容部７における第１の収容壁７１および第２の収容壁７２の頂部と昇降板７３の上面との間に形成された収納スペースＳに収納されるようになっている。
【００２２】
光コネクタ収容部７の開口部Ｋ側には、光コネクタ収容部７の収容スペースＳに収容された光コネクタ６を覆うことが可能な開閉蓋９が揺動可能に設けられている。開閉蓋９は、ヒンジ８を介して光コネクタ収容部７の第１の収容壁７１の上端部に連結されている。開閉蓋９の表面９ａおよび裏面９ｂには、光コネクタ６を介して接続される光ファイバー４、５の回線名を表示する回線表示札１０が設けられている。
【００２３】
開閉蓋９の裏面９ｂには、ロック手段としての永久磁石１２が取付けられている。光コネクタ収容部７の開口部Ｋ側には、永久磁石１２が吸着可能な受金具１３が設けられている。受け金具１３は、光コネクタ収容部７における第２の収容壁７２の上端面に取付けられている。光コネクタ６は、永久磁石１２に対するロック解除動作による開閉蓋９の開動作に連動してコネクタ収容部７の開口部Ｋから上方に突出するようになっている。すなわち、永久磁石１２による開閉蓋９のロックが作業者によって解除された際には、二つの圧縮コイルスプリング１１の付勢力によって昇降板７３が上昇し、光コネクタ６はコネクタ収容部７の開口部Ｋから上方に突出するようになっている。また、光コネクタ６は、開閉蓋９の閉動作に連動して、コネクタ収容部７の収容スペースＳに収容されるようになっている。
【００２４】
つぎに、光配線盤１における光コネクタ６に対する光ファイバー４、６の開放または接続作業の手順および作用について説明する。
【００２５】
図９に示すように、光配線盤１は、作業時以外はフレーム２内に各トレー３が収納されている。そして、光配線盤１内での光伝送路に関する作業が必要な場合は、図１（ａ）に示すように、特定のトレー３が矢印Ｆ１方向に引き出される。この状態では、各光コネクタ収容部７に収容されたすべての光コネクタ６は開閉蓋９によって覆われている。
【００２６】
特定のトレー３がフレーム２から引き出されると、複数の光コネクタ６のうち作業対象となる回線の光コネクタ６を選定する。ここで、光コネクタ６を覆う開閉蓋９の表面９ａには、回線表示札１０が設けられているので、作業対象の回線を容易に判別することができる。作業対象の回線が特定されると、この回線の光コネクタ６を覆う開閉蓋９が作業者よって開かれる。図５は、光コネクタ６が開閉蓋９によって覆われている状態を示しており、この状態から開閉蓋９の第２の収容壁７２側を僅かに持ち上げることにより、図６に示すように開閉蓋９がヒンジ８を中心として矢印Ｆ２方向に揺動し、開閉蓋９が全開状態となる。すなわち、開閉蓋９は、閉じた状態では永久磁石１２によって動きがロックされているが、開閉蓋９の第２の収容壁７２側を僅かに持ち上げることにより、永久磁石１２による開閉蓋９のロックが解除され、開閉蓋９は昇降板７３および光コネクタ６を介して二つの圧縮コイルスプリング１１の付勢力によって押し上げられ、全開状態となる。
【００２７】
また、開閉蓋９が全開となる過程では、光コネクタ６が開閉蓋９の開動作に連動して矢印Ｆ３方向に移動し、コネクタ収容部７の開口部Ｋから上方に突出することになる。すなわち、開閉蓋９が閉じている状態では、図５に示すように、トレー３の上面から光コネクタ６の上面までの高さはＨ１となっているが、開閉蓋９が開いた状態では、図６に示すように、トレー３の上面から光コネクタ６の上面までの高さはＨ２となる。したがって、作業対象の回線の光コネクタ６は、作業対象でない運用中の他の光コネクタ６よりも大きく上方に突出することになる。
【００２８】
図１（ｂ）は、作業対象の回線の光コネクタ６を覆う開閉蓋９を開いた状態を示している。図２に示すように、開閉蓋９を開いた状態では、開閉蓋９の裏面９ｂだけが作業者から見えることになるが、開閉蓋９の裏面９ｂにも回線表示札１０が設けられているので、作業中であっても作業対象の回線を容易に確認することが可能となる。
【００２９】
つぎに、光コネクタ６に対して光ファイバー４、５の開放および接続の作業が行われる。光伝送路における光配線盤１における作業では、図８に示すように、例えば、光ファイバー４の接続端子４ａが光コネクタ６の一方の接続部６２から矢印Ｆ４方向に引き抜かれ、光ファイバー５の接続端子５ａが光コネクタ６の他方の接続部６３から矢印Ｆ５方向に引き抜かれる。光ファイバー４、５が光コネクタ６から引き抜かれた状態では、作業対象の回線が遮断された状態となり、光伝送路における所定の作業が行われる。その後、光ファイバー４の接続端子４ａが一方の接続部６２に接続され、光ファイバー５の接続端子５ａが他方の接続部６３に接続されることにより、光ファイバー４と光ファイバー５は、再び光コネクタ６を介して接続される。
【００３０】
対象となる回線の作業が終了すると、開閉蓋９が閉じられる。ここで、開閉蓋９の裏面９ｂにはロック手段としての永久磁石１２が設けられているので、ヒンジ８を中心として開閉蓋９を閉方向に揺動させることにより、コネクタ収容部７の受金具１３に永久磁石１３が吸着し、コネクタ収容部７の開口部Ｋは開閉蓋９によって覆われる。すなわち、開口部Ｋから上方に突出していた光コネクタ６は、開閉蓋９の閉動作には、開閉蓋９のとの接触により下方に押圧され、コネクタ収容部７の収容スペースＳに収容される。そして、すべての開閉蓋９が閉じられたのを確認した後、トレー３はフレーム２側に押し戻され、フレーム２内に収納される。
【００３１】
このように、開閉蓋９の表面９ａおよび裏面９ｂに光ファイバー４，５の回線名を表示する回線表示札１０が設けられるので、光コネクタ６の回線名を容易に判別することができ、作業時間を短縮することができる。また、光コネクタ６は、開閉蓋９の開動作に連動してコネクタ収容部７の開口部Ｋから上方に突出するので、対象となる光コネクタ６に対する作業スペースを確保することができる。したがって、対象となる光コネクタ６に対する光ファイバー４、５の接続または開放の操作を安全かつ確実に行うことができ、光ファイバー４、５の接続等の作業時におけるヒューマンエラーを防止することができる。
【００３２】
本発明では、従来技術のように、作業スペースを確保するために多数の光コネクタを移動させる必要がないので、収容効率を高く維持しつつ、光ファイバー４、５の損傷を防止することができる。さらに、光コネクタ６を収容する光コネクタ収容部７の開口部Ｋに開閉蓋９を設けるようにしているので、対象となる光コネクタ６の作業時には、他の運用中の光コネクタ６は開閉蓋９によって覆われることになり、他の運用中の光コネクタ９に対して誤断などの悪影響を与えることがなくなる。そして、作業対象の回線は、作業中には開閉蓋９が開いているので、作業対象の光ファイバー４、５と運用中の光ファイバー４、５の区別が不要となり、従来のように個別に作業区画を行う必要がなくなる。
【００３３】
また、開閉蓋９の開動作時に、光コネクタ６が圧縮コイルスプリング１１の付勢力によって開口部Ｋから上方に突出するようにしているので、自動的に光コネクタ６を上昇させることができ、対象とする光コネクタ６の作業が容易となる。さらに、ロック手段はコネクタ収容部７の開口部Ｋ側に設けられた受金具１３に吸着可能な永久磁石１２から構成されているので、ロック手段の構成を簡素化することができるとともに、開閉蓋９の開閉操作が容易となる。
【００３４】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、弾性体として圧縮コイルバネ１１を用いているが、板バネなどを用いた構成としてもよい。また、ロック手段として永久磁石１２を用いているが、機械的に係合可能なロック機構を採用してもよい。
【符号の説明】
【００３５】
１                光配線盤
３                トレー
４                光ファイバー
５                光ファイバー
６                光コネクタ
７                光コネクタ収容部
７１              第１の収容壁
７２              第２の収容壁
７３              昇降板
８                ヒンジ
９                開閉蓋
１０              回線表示札
１１              圧縮コイルスプリング（弾性体）
１２              永久磁石（ロック手段）
Ｋ                開口部
Ｓ                収容スペース
【図１】
2014186120.tif 000003
【図２】
2014186120.tif 000004
【図３】
2014186120.tif 000005
【図４】
2014186120.tif 000006
【図５】
2014186120.tif 000007
【図６】
2014186120.tif 000008
【図７】
2014186120.tif 000009
【図８】
2014186120.tif 000010
【図９】
2014186120.tif 000011